(57)【要約】【課題】リード線を被取付体に確実に保持すると共に、組み立て後の再取り付け取り外しが可能な線材の保持構造を提供する。【解決手段】電子機器の機器ケース（被取付体）１の内部に壁面部２ａ、壁面部２ｂ、壁面部２ｃが一体成形されて垂直に起立し、それぞれ交互に向きを変えて配置されている。各壁面部２ａ、壁面部２ｂ、壁面部２ｃの上部先端中央部にはそれぞれ突出部３ａ、突出部３ｂ、突出部３ｃが内側に向かって突出している。機器ケース１および各壁面部２ａ、壁面部２ｂ、壁面部２ｃおよび各突出部３ａ、突出部３ｂ、突出部３ｃに囲まれた空間４はリード線５の配線経路となっている。【選択図】      図１
2005019913.tif 000002
【特許請求の範囲】
【請求項１】
互いに対向配置された第１の壁面部と第２の壁面部とによって形成される配線経路に線材を配置して保持する線材の保持構造において、前記第１および第２の壁面部の何れか一方の壁面部の上部には配線経路の上方に向かって突出する所定幅の突出部が形成され、前記第１および第２の壁面部の他方の壁面部には前記突出部に対向する箇所に前記突出部の前記所定幅よりも幅広の切り欠きが形成されていることを特徴とする線材の保持構造。
【請求項２】
前記突出部の先端角部から前記切り欠きが形成された他方の壁面部までの距離は、前記第１の壁面部から前記第２の壁面部までの距離より長いことを特徴とする請求項１に記載の線材の保持構造。
【発明の詳細な説明】
【０００１】
【発明の属する技術分野】
本発明は、リード線等の線材を所定の配線経路に沿って保持するための線材の保持構造に関するものである。
【０００２】
【従来の技術】
従来、電子機器には電子部品と回路基板とを接続するためにリード線等の線材が数多く使用されており、部品や回路基板の組み立てが容易に行われるようリード線を効果的に位置決め固定することが求められている。この為、従来の線材の保持構造では、リード線の配線経路である壁面部に対向させて複数のリブを立設し、壁面部とリブとの間に形成された隙間にリード線を配置することが行われている。この場合配置されたリード線が壁面部とリブとの隙間の開口から抜け出ない様、開口部に突起を設けることも考えられている（例えば、特許文献１および２参照。）。
【０００３】
また、壁面部と複数のリブとの隙間にリード線を配置するのではなく、壁面部と壁面部との間にリード線を配置し上方に突部を設けて、配置されたリード線が抜け出るのを防止することも考えられている（例えば、特許文献３参照。）。
【０００４】
【特許文献１】
特開平９−６９６９３号公報  （第２−４頁、図１、図５および図６）
【特許文献２】
特開平１１−３３０７３１号公報  （第２−４頁、図２および図３）
【特許文献３】
特開２００２−７０１２３号公報  （第２−４頁、図４、図５および図６）
【０００５】
【発明が解決しようとする課題】
しかしながら、上述した壁面部とリブとの間にリード線を配置する方法では、リード線数の増減や機器の振動落下等によりリブからリード線が外れる可能性が高く、また、リブの無いところではリード線がたわんでしまう欠点があった。また、壁面部と壁面部との間にリード線を配置する方法にあっては、リード線が抜け出なくする為に開口に突起を設けているので、太いリード線を取り付ける場合或いは一度取り付けた後抜き出すような場合に、突起がじゃまをして取り付けや取り外しが困難になる欠点が有った。
本発明の目的は、上記課題に鑑みてなされたものであり、リード線等の線材を極めて容易に配線経路に保持でき、また、組み立て後においても線材の再取り付け取り外しが可能な線材の保持構造を提供することにある。
【０００６】
【課題を解決するための手段】
請求項１に記載の発明は、互いに対向配置された第１の壁面部と第２の壁面部とによって形成される配線経路に線材を配置して保持する線材の保持構造において、前記第１および第２の壁面部の何れか一方の壁面部の上部には配線経路の上方に向かって突出する所定幅の突出部が形成され、前記第１および第２の壁面部の他方の壁面部には前記突出部に対向する箇所に前記突出部の前記所定幅よりも幅広の切り欠きが形成されていることを特徴とする線材の保持構造である。
【０００７】
請求項２に記載の発明は、前記突出部の先端角部から前記切り欠きが形成された他方の壁面部までの距離は、前記第１の壁面部から前記第２の壁面部までの距離より長いことを特徴とする請求項１に記載の線材の保持構造である。
【０００８】
請求項１および請求項２に記載の発明による構成とすれば、壁面部内への線材の保持が確実となり、且つ組み立て後の線材の再取り付け取り外しも可能となるメリットが生じる。
【０００９】
【発明の実施の形態】
以下、図１乃至図２を参照して、本発明の線材の保持構造の実施の形態について詳細に説明する。
【００１０】
図１は本発明によるデジタルスチルカメラ等のような電子機器内部における線材の保持構造を示す配線部斜視図であり、図２は図１中央部の部分拡大図である。図１において、電子機器の樹脂等からなる機器ケース（被取付体）１の内部には同じく樹脂等からなる壁面部２ａ、壁面部２ｂ、壁面部２ｃが一体成形されて垂直に起立し、それぞれ交互に向きを変えて配置されている。各壁面部２ａ、壁面部２ｂ、壁面部２ｃの上部先端中央部にはそれぞれ突出部３ａ、突出部３ｂ、突出部３ｃが内側に向かって突出している。機器ケース１および各壁面部２ａ、壁面部２ｂ、壁面部２ｃおよび各突出部３ａ、突出部３ｂ、突出部３ｃに囲まれた空間４はリード線５の配線経路となっている。
【００１１】
図２（ａ）は図１における壁面部２ａを中心に拡大した上面図である。図２（ａ）において壁面部２ａの左右対向位置には壁面部２ｂ、壁面部２ｃが壁面部２ａと逆向きに配置されている。壁面部２ａの中心部には幅寸法Ｅの突出部３ａが内側に突出している（図２（ｂ）Ａ−Ａ断面図参照）。また、壁面部２ｂと壁面部２ｃの間は幅寸法Ｘの切り欠きが形成されている。ここで幅寸法Ｘは、突出部３ａの幅寸法Ｅよりも十分に広い寸法とする。更に、突出部３ａと壁面部２ｂ、２ｃとの距離寸法Ｙは、壁面部２ａと壁面部２ｂ、壁面部２ｃ間の隙間寸法Ｆよりも長い寸法となっている。
【００１２】
次に、この線材保持構造にリード線５を収納する方法について説明する。図２（ｂ）のＡ−Ａ断面図において、壁面部２ａ内側の空間４は壁面部２ｂ方向に開口しており、その開口部にリード線５を壁面部２ａに向かって挿入する。次に図２（ａ）において、リード線の未挿入の部分（突出部３ａに掛かっていない部分）を壁面部２ａと壁面部２ｂ、壁面部２ｃの間の隙間に上部から押し込む。ここで壁面部２ｂと壁面部２ｃの間の幅寸法Ｘは突出部３ａの幅寸法Ｅよりも十分に長い寸法であり、更に突出部３ａと壁面部２ｂ、２ｃとの幅寸法Ｙは壁面部２ａと壁面部２ｂ、２ｃとの隙間寸法Ｆよりも長い寸法であるため、リード線を上から押えれば確実に各壁面部間の隙間に収めることができる。壁面部２ｂ、壁面部２ｃにおいても同様にして突出部３ｂ、突出部３ｃの下部にリード線５を収納することができ、図１に示すように壁面部間にリード線５が直線状に配置される。
【００１３】
逆にリード線５を壁面部間から外す場合は、突出部３ａの下部から開口部方向へリード線５を移動することにより壁面部２ａからリード線を外すことができ、以降壁面部２ｂ、２ｃからも同様にしてリード線５を外すことができる。そしてリード線５を再び取り付ける場合も、上述のように作業することにより再取り付け取り外しが可能となる。
【００１４】
尚、この実施の形態においては各壁面部を３箇所としているが、更に多くの壁面部を設置しても良い。また、この実施の形態においてはリード線の本数を１本としているが、図３（ａ）（ｂ）に示すように、例えば４本設ける等更に多くの本数としても良い。また、この実施の形態においては突出部を互いに対向して配置されている壁面部の両方に突起部を形成しているが、図４に示すように突起部１３ａ，突起部１３ｂを片側の壁面部１２ａのみ設ける構成にし、対向する壁面部１２ｂ、壁面部１２ｃ、壁面部１２ｄには突起部を設けない構造であっても良い。また、図２の実施の形態においては壁面部２ｂ、壁面部２ｃの切り欠き（図２（ａ）のＣ矢視図）が、図５（ａ）の形状としているが、図５（ｂ）のように角部に曲部２ｄ、２ｄを形成したテーパ辺２ｅ、２ｅとしても良く、または図５（ｃ）のように機器ケース１の上面１ａより高い底上げ部２ｆを持たせるようにしても良い。また、この実施の形態においては、電子機器内部の線材の保持構造としているが、電子機器外部の線材の保持構造であっても良い。
【００１５】
【発明の効果】
以上説明したようにこの発明によれば、互いに対向配置された第１の壁面部と第２の壁面部とによって形成される配線経路に線材を配置して保持する線材の保持構造において、前記第１および第２の壁面部の何れか一方の壁面部の上部には配線経路の上方に向かって突出する所定幅の突出部が形成され、前記第１および第２の壁面部の他方の壁面部には前記突出部に対向する箇所に前記突出部の前記所定幅よりも幅広の切り欠きを設けたことにより、壁面部内への線材の保持が確実となり且つ組み立て後の線材の再取り付け取り外しも可能となるメリットが生じる。
【図面の簡単な説明】
【図１】本発明を適用した線材の保持構造の概略図。
【図２】本発明を適用した線材の保持構造の部分拡大図。
【図３】本発明を適用した線材の保持構造において、リード線を４本にした場合の部分拡大図。
【図４】本発明を適用した線材の保持構造において、突起部を片側の壁面部のみに構成した部分拡大図。
【図５】本発明を適用した線材の保持構造における壁面部の切り欠き形状例。
【符号の説明】
１  機器ケース
２ａ，２ｂ，２ｃ  壁面部
３ａ，３ｂ，３ｃ  突出部
４  空間
５  リード線
【図１】
2005019913.tif 000003
【図２】
2005019913.tif 000004
【図３】
2005019913.tif 000005
【図４】
2005019913.tif 000006
【図５】
2005019913.tif 000007